(57)【要約】      （修正有）【課題】安定的に蒸気量を発生できる蒸気式モップを提供する。【解決手段】取手部は、ガイドロッド１１１と回動ロッド１１２を有する取手１１及び制御ロッド１２を有し、ハンドルは、一端が該取手部と連結されると共に、中空ロッド２１、ピストンポンプ２２及びガイド部材２３を有し、ガイド部材２３は、位置決めスプリング２３１、一方のガイド部材及び他方のガイド部材を有し、一方のガイド部材の一端が取手１１のガイドロッド１１１と接触されると共に、他端が位置決めスプリング２３１と連結され、他方のガイド部材の一端が位置決めスプリング２３１と連結されると共に、他端がピストンポンプ２２と連結され、モップヘッドは、水タンク座の下側に位置されると共に、ハンドルと連結され、上部カバー５１１と下部カバー５１２からなるモップ座５１、蒸気発生器、下部カバーに設けられるモップ部材及び連結部材を有し、電源コードは該モップヘッドの蒸気発生器と連結される。【選択図】図２
0003146035.tif 000002
【実用新案登録請求の範囲】
【請求項１】
取手部、ハンドル、水タンク、水タンク座、モップヘッド及び電源コードを備える蒸気式モップであって、
該取手部は、ハイドロッドと回動ロッドを有する取手及び制御ロッドを有し、該ハンドルは、一端が該取手部と連結されると共に、中空ロッド、該中空ロッドの下側に設けられるピストンポンプ及びガイド部材を有し、該ガイド部材は、位置決めスプリング、ガイド部材Ａ及びガイド部材Ｂを有し、該ガイド部材Ａの一端が該取手のガイドロッドと接触されると共に、他端が位置決めスプリングと連結され、該ガイド部材Ｂの一端が該位置決めスプリングと連結されると共に、他端が該ピストンポンプと連結され、
該水タンクは、該ハンドルに固定されると共に、出水部材及び水タンク位置決め部材を有し、
該モップヘッドは、該水タンク座の下側に位置されると共に、該ハンドルと連結され、上部カバーと蒸気出口を有する下部カバーからなるモップ座、蒸気発生器、該下部カバーに設けられるモップ部材及び該モップヘッドを該水タンクの底部に設置するために用いられる連結部材を有し、
該電源コードは該モップヘッドの蒸気発生器と連結されることを特徴とする、蒸気式モップ。
【請求項２】
前記中空ロッドは、上部パイプと下部パイプからなり、該上部パイプの一端が該取手と連結されると共に、外側に上部コード掛けが設けられ、他端に上部コネクタが設けられ、該下部パイプの一端が該水タンクと連結されると共に、外側に下部コード掛けが設けられ、他端に下部コネクタが設けられ、該下部コネクタと該上部コネクタとが互いに連結されることを特徴とする、請求項１に記載の蒸気式モップ。
【請求項３】
前記蒸気発生器は、該モップ座の内部に設けられると共に、上部シールカバー、下部シールカバー、該上部シールカバーと下部シールカバーの周辺に設けられるシールリング、該上部シールカバーと下部シールカバーとシールリングからなる空間に設けられるヒーターパイプ、該上部シールカバーと下部シールカバーの間に設けられる入水パイプ及び、一端が該上部シールカバーと下部シールカバーの間に設けられると共に、他端が下部カバーの蒸気出口と連結される蒸気噴出パイプを備えることを特徴とする、請求項１又は２に記載の蒸気式モップ。
【請求項４】
前記ピストンポンプは該水タンクと連結されると共に、該下部パイプと連結される中空状の中空管体、該中空管体の内部に設けられる押圧ユニット、該中空管体と連結される入水パイプ及び出水パイプを有することを特徴とする、請求項３に記載の蒸気式モップ。
【請求項５】
前記出水部材は、水タンク口、該水タンク口の外側及び水タンクと水タンク座との間に位置される水タンクカバー、該水タンクカバーの内側に設けられる出水口カバー、該水タンクカバーの内側に位置されると共に、該出水口カバーと接触される復位スプリング、該水タンクカバーと該復位スプリングとの間に設けられる出水ピストン及び該水タンクカバーを水タンク口に設置するための調節ボタンを有し、該出水ピストンはＯリングを有することを特徴とする、請求項４に記載の蒸気式モップ。
【請求項６】
前記押圧ユニットは、該中空管体の下端に位置すると共に、その上に孔が形成されるピストンカバー、該中空管体の内部に設けられる復位スプリング、該復位スプリングと接触されるピストン及び位置決めロッドを有し、該位置決めロッドの一端が該ピストンカバーの孔から突出されると共に、他端が該ピストンと連結されることを特徴とする、請求項５に記載の蒸気式モップ。
【請求項７】
前記入水パイプは、該ピストンカバーと反対する中空管体の一端に設けられ、その一端が該中空管体と連結されると共に、他端が入水管によって該水タンク座と連結され、該入水パイプの内部に入水ピストンと入水スプリングが設けられることを特徴とする、請求項６に記載の蒸気式モップ。
【請求項８】
前記出水パイプは、該入水パイプと平行するように該中空管体に設けられ、その一端が該中空管体と連結されると共に、他端が出水管と連結され、又、該出水パイプの内部に出水ピストンと出水スプリングが設けられることを特徴とする、請求項７に記載の蒸気式モップ。
【請求項９】
前記下部カバーの蒸気出口の外側に放射状の窪み部が形成されることを特徴とする、請求項１に記載の蒸気式モップ。
【請求項１０】
前記下部カバーに係合溝が形成され、該係合溝に蒸気噴出部材が設けられることを特徴とする、請求項１に記載の蒸気式モップ。
【考案の詳細な説明】
【技術分野】
【０００１】
本考案は、特に安定的に蒸気量を発生できると共に、使い易い蒸気式モップに関するものである。
【背景技術】
【０００２】
従来の蒸気式モップは、蒸気発生器で水タンクにおける水を蒸気に加熱し、該蒸気をモップに噴出しながら、モップを濡らすことにより、床につけてしまう油性又は粘性の汚れを除去することができる。
【０００３】
水タンクから水を蒸気発生器に引導する蒸気式モップは、様々な提案があり、例えば、制御バルブによって給水量を制御し、該制御バルブをオープンした後、水タンクにおける水が重力で蒸気発生器に流れ込む提案があるが、この制御バルブの制御が難しく、且つ使い難いという問題があった。
【０００４】
その後、ポンプで水タンクにおける水を蒸気発生器に引導する提案があり、例えば、使用時の動きによってポンプを制御する蒸気式モップが提案されている。
【考案の開示】
【考案が解決しようとする課題】
【０００５】
しかしながら、ポンプで水タンクにおける水を蒸気発生器に引導する蒸気式モップは、構造が複雑で、かつ長く使用すると、ポンプが故障しやすく、更に、蒸気の発生量が不安定で、優れた清潔効果を有しないという問題が存在している。
【０００６】
そこで、案出されたのが本考案であって、安定的に蒸気量を発生できると共に、使い易い蒸気式モップを提供することを目的としている。
【課題を解決するための手段】
【０００７】
本願の請求項１の考案は、取手部、ハンドル、水タンク、水タンク座、モップヘッド及び電源コードを備える蒸気モップであって、
該取手部は、ハイドロッドと回動ロッドを有する取手及び制御ロッドを有し、該ハンドルは、一端が該取手部と連結されると共に、中空ロッド、該中空ロッドの下側に設けられるピストンポンプ及びガイド部材を有し、該ガイド部材は、位置決めスプリング、ガイド部材Ａ及びガイド部材Ｂを有し、該ガイド部材Ａの一端が該取手のガイドロッドと接触されると共に、他端が位置決めスプリングと連結され、該ガイド部材Ｂの一端が該位置決めスプリングと連結されると共に、他端が該ピストンポンプと連結され、該水タンクは、該ハンドルに固定されると共に、出水部材及び水タンク位置決め部材を有し、該モップヘッドは、該水タンク座の下側に位置されると共に、該ハンドルと連結され、上部カバーと蒸気出口を有する下部カバーからなるモップ座、蒸気発生器、該下部カバーに設けられるモップ部材及び該モップヘッドを該水タンクの底部に設置するために用いられる連結部材を有し、該電源コードは該モップヘッドの蒸気発生器と連結されることを特徴とする蒸気モップ、を提供する。
【０００８】
本願の請求項２の考案は、前記中空ロッドは、上部パイプと下部パイプからなり、該上部パイプの一端が該取手と連結されると共に、外側に上部コード掛けが設けられ、他端に上部コネクタが設けられ、該下部パイプの一端が該水タンクと連結されると共に、外側に下部コード掛けが設けられ、他端に下部コネクタが設けられ、該下部コネクタと該上部コネクタとが互いに連結されることを特徴とする請求項１に記載の蒸気モップ、を提供する。
【０００９】
本願の請求項３の考案は、前記蒸気発生器は、該モップ座の内部に設けられると共に、上部シールカバー、下部シールカバー、該上部シールカバーと下部シールカバーの周辺に設けられるシールリング、該上部シールカバーと下部シールカバーとシールリングからなる空間に設けられるヒーターパイプ、該上部シールカバーと下部シールカバーの間に設けられる入水パイプ及び、一端が該上部シールカバーと下部シールカバーの間に設けられると共に、他端が下部カバーの蒸気出口と連結される蒸気噴出パイプを備えることを特徴とする請求項１又は２に記載の蒸気モップ、を提供する。
【００１０】
本願の請求項４の考案は、前記ピストンポンプは該水タンクと連結されると共に、該下部パイプと連結される中空状の中空管体、該中空管体の内部に設けられる押圧ユニット、該中空管体と連結される入水パイプ及び出水パイプを有することを特徴とする請求項３に記載の蒸気モップ、を提供する。
【００１１】
本願の請求項５の考案は、前記出水部材は、水タンク口、該水タンク口の外側及び水タンクと水タンク座との間に位置される水タンクカバー、該水タンクカバーの内側に設けられる出水口カバー、該水タンクカバーの内側に位置されると共に、該出水口カバーと接触される復位スプリング、該水タンクカバーと該復位スプリングとの間に設けられる出水ピストン及び該水タンクカバーを水タンク口に設置するための調節ボタンを有し、該出水ピストンはＯリングを有することを特徴とする請求項４に記載の蒸気モップ、を提供する。
【００１２】
本願の請求項６の考案は、前記押圧ユニットは、該中空管体の下端に位置すると共に、その上に孔が形成されるピストンカバー、該中空管体の内部に設けられる復位スプリング、該復位スプリングと接触されるピストン及び位置決めロッドを有し、該位置決めロッドの一端が該ピストンカバーの孔から突出されると共に、他端が該ピストンと連結されることを特徴とする請求項５に記載の蒸気モップ、を提供する。
【００１３】
本願の請求項７の考案は、前記入水パイプは、該ピストンカバーと反対する中空管体の一端に設けられ、その一端が該中空管体と連結されると共に、他端が入水管によって該水タンク座と連結され、該入水パイプの内部に入水ピストンと入水スプリングが設けられることを特徴とする請求項６に記載の蒸気モップ、を提供する。
【００１４】
本願の請求項８の考案は、前記出水パイプは、該入水パイプと平行するように該中空管体に設けられ、その一端が該中空管体と連結されると共に、他端が出水管と連結され、又、該出水パイプの内部に出水ピストンと出水スプリングが設けられることを特徴とする請求項７に記載の蒸気モップ、を提供する。
【００１５】
本願の請求項９の考案は、前記下部カバーの蒸気出口の外側に放射状の窪み部が形成されることを特徴とする請求項１に記載の蒸気モップ、を提供する。
【００１６】
本願の請求項１０の考案は、前記下部カバーに係合溝が形成され、該係合溝に蒸気噴出部材が設けられることを特徴とする請求項１に記載の蒸気モップ、を提供する。
【考案の効果】
【００１７】
本考案は上記の課題を解決するものであり、下記のような優れた特徴を有する。
１．制御ロッドを押圧することで、簡単に水タンクにおける水を蒸気発生器に送入することができ、安定的に蒸気量を発生することができ、非常に便利である。
２．本考案は構造が簡単で、体積が小さく且つ交換しやすいピストンポンプを使用するので、メーンテナンスが非常に簡単である。
３．水タンクを水タンク座から取り外すことができるので、水タンクの注水や清潔作業が非常に簡単である。
４．高温の蒸気によって油性又は粘性の汚れを除去するだけではなく、除菌効果も達成できる。
【考案を実施するための最良の形態】
【００１８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１９】
図１は本考案に係る蒸気式モップの斜視図であり、図２は本考案に係る蒸気式モップの断面斜視図であり、図３は本考案に係る蒸気式モップの一部分解斜視図であり、図４は本考案に係る蒸気式モップの一部拡大断面斜視図であり、図５は本考案に係る蒸気式モップのピストンポンプを示す拡大断面図であり、図６は本考案に係る蒸気式モップのモップヘッドの第１実施例を示す分解斜視図であり、図７は本考案に係る蒸気式モップのモップヘッドの第２実施例を示す分解斜視図である。
【００２０】
図１乃至図３に示すように、本考案に係る蒸気式モップ（１）は、取手部（１０）と、ハンドル（２０）と、水タンク（３０）と、水タンク座（４０）と、モップヘッド（５０）と、電源コード（６０）とを有する。
【００２１】
前記取手部（１０）は、取手（１１）と制御ロッド（１２）を有し、該取手（１１）は、上端部と下端部を有するプラスチックの中空体であり、該下端部が該ハンドル（２０）と連結され、該取手（１１）の内にガイドロッド（１１１）と回動ロッド（１１２）が設けられ、該取手（１１）の下端部に該ガイドロッド（１１１）が設けられ、該取手（１１）と制御ロッド（１２）の接続位置に該回動ロッド（１１２）が設けられることにより、該制御ロッド（１２）を該取手（１１）に固定する。該取手（１１）と該取手部（１０）との連結位置の下端部に該制御ロッド（１２）が設けられ、該制御ロッド（１２）は連結部を有する。該制御ロッド（１２）を押圧すると、該制御ロッド（１２）が回動ロッド（１１２）を軸心として回動され、この時、該制御ロッド（１２）の連結部が取手（１１）の内部に進入すると共に、該ガイドロッド（１１１）と連結される。
【００２２】
図２、図３及び図５に示すように、該ハンドル（２０）は、中空ロッド（２１）と、ピストンポンプ（２２）と、ガイド部材（２３）とを有し、該中空ロッド（２１）は、上部パイプ（２１１）と下部パイプ（２１２）からなるアルミのパイプであり、該上部パイプ（２１１）の一端が該取手（１１）と連結されると共に、外側に上部コード掛け（２１５）が設けられ、他端に上部コネクタ（２１３）が設けられ、該上部コード掛け（２１５）に電源コード（６０）を巻いて収納することができる。該下部パイプ（２１２）の一端が該水タンク（３０）と連結されると共に、外側に下部コード掛け（２１６）が設けられ、他端に下部コネクタ（２１４）が設けられ、該下部コード掛け（２１４）に電源コード（６０）を巻いて収納することができる。又、該下部コネクタ（２１４）と該上部コネクタ（２１３）との連結することにより、該上部パイプ（２１１）と該下部パイプ（２１２）とを互いに連結することができる。
【００２３】
前記ピストンポンプ（２２）は該水タンク（３０）と連結されると共に、中空管体（２２１）、押圧ユニット（２２２）、入水パイプ（２２３）及び出水パイプ（２２４）を有し、該中空管体（２２１）は、下部パイプ（２１２）と連結する中空のパイプである。
【００２４】
該押圧ユニット（２２２）は該中空管体（２２１）の内部に設けられると共に、ピストンカバー（２２２１）、復位スプリング（２２２２）、ピストン（２２２３）及び位置決めロッド（２２２４）を有する。該ピストンカバー（２２２１）は、該下部パイプ（２１２）と接近する中空管体（２２１）の開口に位置し、その上に孔が形成する。該復位スプリング（２２２２）は該中空管体（２２１）の内部に設けられ、該ピストン（２２２３）の一端が該復位スプリング（２２２２）と接触すると共に、他端にロッド状端部が設けられ、該ロッド状端部が該ピストンカバーの孔から突出される。該ピストンのロッド状端部に該位置決めロッド（２２２４）が設けられる。該入水パイプ（２２３）は、該ピストンカバー（２２２１）と反対する中空管体（２２１）の一端に設けられ、その一端が該中空管体（２２１）と連結されると共に、他端が入水管（２２５Ａ）によって該水タンク座（４０）と連結される。該入水パイプ（２２３）の内部に更に入水ピストン（２２３１）と入水スプリング（２２３２）が設けられる。
【００２５】
該出水パイプ（２２４）は、該入水パイプ（２２３）と平行するように該中空管体（２２１）に設けられ、その一端が該中空管体（２２１）と連結されると共に、他端が出水管（２２５Ｂ）と連結され、又、該出水パイプ（２２４）の内部に更に出水ピストン（２２４１）と出水スプリング（２２４２）が設けられる。
【００２６】
該中空管体（２１）内に該ガイド部材（２３）が設けられ、該ガイド部材（２３）は、位置決めスプリング（２３１）、ガイド部材Ａ（２３２Ａ）及びガイド部材Ｂ（２３２Ｂ）を有し、該位置決めスプリング（２３１）は、該上部パイプ（２１１）の内部に設けられると共に、ガイド部材Ａ（２３２Ａ）とガイド部材Ｂ（２３２Ｂ）と連結される。
【００２７】
該ガイド部材Ａ（２３２Ａ）は、該上部パイプ（２１１）の内部に設けられ、その一端が該制御ロッド（１２）のガイドロッド（１１１）と連結されると共に、他端が該位置決めスプリング（２３１）と連結される。
【００２８】
該ガイド部材Ｂ（２３２Ｂ）は、該下部パイプ（２１２）の内部に設けられ、その一端が該位置決めスプリング（２３１）と連結されると共に、他端が該ピストンポンプ（２２）の位置決めロッド（２２２４）と連結される。制御ロッド（１２）を押圧すると、該ガイド部材（２３）が下方へ移動しながら、位置決めロッド（２２２４）を連動する。
【００２９】
図３及び図４に示すように、該水タンク（３０）は、該ハンドル（２０）の一側に設けられると共に、出水部材（３１）と水タンク位置決め部材（３２）を有する。該出水部材（３１）は、該水タンク（３０）の底部に設けられると共に、水タンク口（符号なし）、該水タンク口の外側及び水タンク（３０）と水タンク座（４０）との間に位置される水タンクカバー（３１１）、該水タンクカバー（３１１）の内側に設けられる出水口カバー（３１２）、該水タンクカバー（３１１）の内側に位置されると共に、該出水口カバー（３１２）と接触される復位スプリング（３１３）、該水タンクカバー（３１１）と復位スプリング（３１３）との間に設けられる出水ピストン（３１４）及び該水タンクカバーを水タンク口に設置するための調節ボタン（３１５）を有する。該出水ピストン（３１４）は、出水口カバーを押圧することにより、水が水タンクから流れ出すことができる。
【００３０】
又、該出水ピストン（３１４）は更にＯリング（３１４１）を有することにより、水タンク（３０）を水タンク座（４０）に設置する時の水漏れ問題を防止できる。該水タンク位置決め部材（３２）は、該水タンク（３０）の上方に設けられることにより、該水タンク（３０）をハンドル（２０）に固定する。
【００３１】
該水タンク座（４０）は該水タンク（３０）の下側と結合されると共に、水タンク出水プレート（４１）と突出ロッド（４２）を有する。該水タンク出水プレート（４１）は、該水タンク座（４０）の上側に設けられると共に、その上にピストンポンプ（２２）の入水管（２２５Ａ）と連結する出水孔（４１１）が形成され、該水タンク（３０）における水が該出水孔（４１１）から該入水管（２２５Ａ）を通じてピストンポンプ（４１１）に流れ込む。該突出ロッド（４２）を該出水孔（４１１）に固定する。該突出ロッド（４２）は該出水ピストン（３１４）を押圧しながら、該水タンク口を開かすことができる。
【００３２】
図１、図６及び図７に示すように、該モップヘッド（５０）は、該水タンク座（４０）の下側に設けられると共に、モップ座（５１）、蒸気発生器（５２）、モップ部材（５４）及び連結部材（５５）を有する。該モップ座（５１）はナイロンからなる上部カバー（５１１）と下部カバー（５１２）を有し、該上部カバー（５１１）に電源スイッチ（５１１１）と指示ランプ（５１１２）が設けられ、該下部カバー（５１２）に蒸気出口（５１２１）が形成され、該蒸気出口（５１２１）の外側に放射状の窪み部（５１２２）又は係合溝（５１２３）が形成され、該係合溝（５１２３）に蒸気噴出部材（５１２４）が設けられ、該蒸気噴出部材（５１２４）に複数の小孔が均一に形成される。該蒸気出口（５１２１）から出す蒸気が該窪み部（５１２２）又は該蒸気噴出部材（５１２４）における複数の小孔に沿って均一に該モップ部材（５４）に噴出することができる。
【００３３】
該蒸気発生器（５２）は、該モップ座（５１）の内部に設けられると共に、上部シールカバー（５２１）、下部シールカバー（５２２）、該上部シールカバー（５２１）と下部シールカバー（５２２）の周辺に設けられるシールリング（５２３）、該上部シールカバー（５２１）と下部シールカバー（５２２）とシールリング（５２３）からなる空間に設けられるＵ字形のヒーターパイプ（５２４）、一端が該出水管（２２５Ｂ）と連結されると共に、他端が該上部シールカバー（５２１）と下部シールカバー（５２２）の間に設けられる入水パイプ（５２５）及び、一端が該上部シールカバー（５２１）と下部シールカバー（５２２）の間に設けられると共に、他端が下部カバー（５１２）の蒸気出口（５１２１）と連結される蒸気噴出パイプ（５２６）を備える。該入水パイプ（５２５）から流れ出す水が該ヒーターパイプ（５２４）によって蒸気に加熱することができる。
【００３４】
該モップ部材（５４）は、該下部カバー（５１２）を包覆することにより、該下部カバー（５１２）の蒸気出口（５１２１）から噴出した蒸気を吸収することができる。該連結部材（５５）は、該モップヘッド（５０）を該水タンク座（４０）の底部に設けるために用いられる押圧カバー（５５１）を有し、該連結部材（５５）の両端が該押圧カバー（５５１）によって該モップ座（５１）の上部に固定される。
【００３５】
本考案に係る蒸気式モップを使用する時、先ず該電源スイッチ（５１１１）をオンにさせることにより、該蒸気発生器（５２）のヒーターパイプ（５２４）を起動させ、使用者は、取手（１１）の制御ロッド（１２）を押圧することで該ガイド部材（２３）を連動し、該ガイド部材（２３）が位置決めロッド（２２１４）を押圧することによってピストンポンプ（２２）のピストン（２２１３）を移動させる。該ピストン（２２１３）が下方へ移動すると、該入水ピストン（２２３１）が水圧で閉止すると共に、該出水ピストン（２２４１）が水圧で打開することにより、水が蒸気発生器（５２）の内部に進入することができ、又、該復位スプリング（２２２２）が元の位置に戻ると、該出水スプリング（２２４２）が該出水ピストン（２２４１）を打開することにより、該水タンク（３０）における水がピストンポンプ（２２）の中空管体（２２１）に吸入されることができ、このように繰り返すと、水が絶えずに蒸気発生器（５２）に流れ込むことができる。水が蒸気発生器（５２）における高温のヒーターパイプ（５２４）と接触すると、直ちに蒸気に加熱しながら、モップ部材（５４）に噴出することができる。
【００３６】
又、長時間水が蒸気発生器（５２）の内部に進入しない時、該蒸気発生器（５２）に設置される制御装置（符号なし）によって該ヒーターパイプ（５２４）の加熱を制御し、例えば、該ヒーターパイプの温度が１５０℃に達すると、該ヒーターパイプ（５２４）の加熱を中止させる。
【図面の簡単な説明】
【００３７】
【図１】本考案に係る蒸気式モップの斜視図
【図２】本考案に係る蒸気式モップの断面斜視図
【図３】本考案に係る蒸気式モップの一部分解斜視図
【図４】本考案に係る蒸気式モップの一部拡大断面斜視図
【図５】本考案に係る蒸気式モップのピストンポンプを示す拡大断面図
【図６】本考案に係る蒸気式モップのモップヘッドの第１実施例を示す分解斜視図
【図７】本考案に係る蒸気式モップのモップヘッドの第２実施例を示す分解斜視図
【符号の説明】
【００３８】
１        蒸気モップ                    
１０      取手部
１１      取手
１１１    ガイドロッド
１１２    回動ロッド
１２      制御ロッド
２０      ハンドル
２１      中空ロッド
２１１    上部パイプ
２１２    下部パイプ
２１３    上部コネクタ
２１４    下部コネクタ
２１５    上部コード掛け
２１６    下部コード掛け
２２      ピストンポンプ
２２１    中空管体
２２２    押圧ユニット
２２２１  ピストンカバー
２２２２  復位スプリング
２２２３  ピストン
２２２４  位置決めロッド
２２３    入水パイプ
２２３１  入水ピストン
２２３２  入水スプリング
２２４    出水パイプ
２２４１  出水ピストン
２２４２  出水スプリング
２２５Ａ  入水管
２２５Ｂ  出水管
２３      ガイド部材
２３１    位置決めスプリング
２３２Ａ  ガイド部材Ａ
２３２Ｂ  ガイド部材Ｂ
３０      水タンク
３１      出水部材
３１１    水タンクカバー
３１２    出水口カバー
３１３    復位スプリング
３１４    出水ピストン
５０      モップヘッド
５１      モップ座
５１１    上部カバー
５１１１  支持ランプ
５１１２  電源スイッチ
５１２    下部カバー
５１２１  蒸気出口
５１２２  窪み部
５１２３  係合溝
５１２４  蒸気噴出部材
５５      連結部材
５５１    押圧カバー
６０      電源コード
３１４１  Ｏリング
３１５    調節ボタン
３２      水タンク位置決め部材
４０      水タンク座
４１      水タンク出水プレート  
４１１    出水孔
４２      突出ロッド
５２      蒸気発生器
５２１    上部シールカバー
５２２    下部シールカバー
５２３    シールリング
５２４    ヒーターパイプ
５２５    入水パイプ
５２６    蒸気噴出パイプ
５４      モップ部材
【図１】
0003146035.tif 000003
【図２】
0003146035.tif 000004
【図３】
0003146035.tif 000005
【図４】
0003146035.tif 000006
【図５】
0003146035.tif 000007
【図６】
0003146035.tif 000008
【図７】
0003146035.tif 000009